(57)【特許請求の範囲】
【請求項１】
左右に隣接配置された２つの前面側ドライバユニットと、該前面側ドライバユニットの各マグネットに夫々背中合わせに結合された２つの後面側ドライバユニットとが、密閉空間を有する箱状の取付フレームに取り付けられ、
一方の前面側ドライバユニット及び後面側ドライバユニットは、メディアリソースからのオーディオ信号を出力し、
他方の前面側ドライバユニット及び後面側ドライバユニットは、該メディアリソースからのオーディオ信号の逆位相信号を出力し、
前記一方の前面側ドライバユニットの振動板は、正面側及び背面側のうちいずれか一方が、前記他方の前面側ドライバユニットの振動板の同じ側と同一の該密閉空間に面している
ことを特徴とするスピーカユニット。
【請求項２】
前記一方の後面側ドライバユニットの振動板は、正面側及び背面側のうちいずれか一方が、前記他方の後面側ドライバユニットの振動板の同じ側と同一の該密閉空間に面している、
ことを特徴とする請求項１記載のスピーカユニット。
【請求項３】
上記取付フレームは、天板、底板、該取付フレームを略中央で仕切る中央支持板、前面支持板及び後面支持板、及び両側板とからなる矩形箱状に形成されるとともに、該前面側ドライバユニット及び後面側ドライバユニットの各ドライバ後端部は中央支持板に形成された透孔にそれぞれ挿通支持され、各振動板の先端部は該前面支持板及び後面支持板に形成された透孔縁部にそれぞれ固定されてなる請求項１または２に記載のスピーカユニット。
【請求項４】
上記取付フレームは、天板、底板、前面支持板及び後面支持板と、両側板とからなる矩形箱状に形成されるとともに、該前面側ドライバユニット及び後面側ドライバユニットの各振動板の先端部は該前面支持板及び後面支持板に形成された透孔縁部にそれぞれ固定されてなる、
請求項１または２記載のスピーカユニット。
【請求項５】
上記取付フレームは、対向配置された箱状の前面側取付フレームと後面側取付フレームとからなり、該前面側及び後面側取付フレームの対向する内側面には該前面側ドライバユニット及び後面側ドライバユニットの各振動板の先端開口に対応して形成された透孔を有するとともに、各振動板の先端開口縁部は各透孔周縁部に密着固定され、各振動板の背面側が外部空間に晒されてなる、
請求項１または２記載のスピーカユニット。
【請求項６】
請求項１乃至５いずれか記載のスピーカユニットを、前面側及び背面側が開放されてなる支持ボードに貫通して取り付けられてなる、
ことを特徴とするスピーカシステム。
【請求項７】
前記支持ボードは、前記一方の前面側ドライバユニット及び後面側ドライバユニットと、前記他方の前面側ドライバユニット及び後面側ドライバユニットとの間を隔てる、
請求項６記載のスピーカシステム。
【請求項８】
上記支持ボードは、平板状のバッフル板である請求項６または７記載のスピーカシステム。
【請求項９】
上記支持ボードは、該スピーカユニットが取り付けられる背面板と、該背面板の上下端から前方に延びる天板及び底板とから形成されてなる請求項６または７記載のスピーカシステム。
【請求項１０】
上記支持ボードは、該スピーカユニットが取り付けられる背面板と、該背面板の両側から前方に延びる側板とから形成されてなる請求項６または７記載のスピーカシステム。
【請求項１１】
上記支持ボードは、該スピーカユニットが取り付けられる背面板と、該背面板の上下端から前方に延びる天板及び底板と、両側から前方に延びる側板とから筒状に形成されてなる請求項６または７記載のスピーカシステム。
【発明の詳細な説明】
【技術分野】
【０００１】
本発明は、複数のドライバユニットからなるスピーカユニット及び同ユニットを用いたスピーカシステムに関する。
【背景技術】
【０００２】
一般のスピーカシステムにおいては、振動板の振動は、振動板支持体さらにはそれに接続されたエンクロージャ全体に対して、その反作用による、本来あってはならないネガティヴな振動をもたらす。言い換えれば、振動板が正確に動く代わりに、それを支えている支持体、さらにはそれが固定されているエンクロージャが微妙に動きだし、その結果それらのものが振動を起こしてしまう。これがいわゆる箱鳴りといわれているものである。エンクロージャ内部に生じる内圧の絶えざる変化もまた、箱鳴りをもたらす。
【０００３】
かかる現象の対策として、(1)ダイナミックスピーカシステム１００のマグネット１０１後方にデッドマス１０２と呼ばれる鉛の塊を接合させたものや（図１２参照）、(2)二つのドライバユニットの各ドライバを背中合わせ対向する形で接着もしくは接合させて、二つの振動板が惹起する反作用をキャンセルさせた特許文献１に記載の発明、(3)エンクロージャ１１１、１１２を二重に構成したもの（図１３参照）等が知られている。しかし、いずれもエンクロージャ型スピーカシステムに存する、振動板の反作用のもたらす箱鳴りと、箱内部に発生する空気バネが振動板の運動に課す不当な制約という二つの根本的問題点を十全に解決し得たものとは言えず、エンクロージャ型スピーカシステムに正確な再生音を期待することはできない。
【０００４】
一方、マグネット１２１ａ、１２２ａ同士を背面で接合した一対のドライバユニット１２１、１２２の一方を、オープンバッフル板１２０に取り付けたスピーカシステムが知られているが、バッフル板に取り付けられた前方のドライバユニット１２１の空気負荷と、裸のまま取り付けられている後方のドライバユニット１２２の、ほとんど存在しない空気負荷とは等価であるわけはなく、両者の間の相殺は成り立ち得ない（図１４参照）。
【０００５】
そこで 本発明者は、先に、振動板の反作用をキャンセルさせると同時に、前方ドライバユニットの後方部分と後方ドライバユニットの前面をパイプで結合することにより、閉じた箱の内圧の問題を解決したオープンバッフルタイプのスピーカシステムを発明した（特許文献２参照）。当該スピーカシステムには箱らしきものは存在するが、実際にはエンクロージャではなく、箱に入れられたドライバユニット２個が１セットとなった１個の裸スピーカユニットに相当し、開放バッフル板に取り付けられたものである。
【０００６】
しかしながら、このスピーカシステムにおいては、後方ドライバユニットの前面は閉じた空間で振動するのに対して、前方ドライバユニットは開放空間に対して振動する。閉じた空間の空気の内部圧力は前方ドライバユニットの振動によって、一定に保たれるが、両ドライバユニットの空気負荷が必ずしも等価ではない。また、後方ドライバユニットの背面は一応、外部空間に面してはいるが、半ば閉じた空間内にある。このため、後方で押し出される空気と、前方で押し出される空気とが、完全にキャンセルされているとは言いがたく、結果として、箱全体を後方に動かす反作用力を生じさせ得る。その結果、電気エネルギーが空気エネルギーに変換させられずに、それが端的にスピーカユニット、ひいてはスピーカシステム全体を動かすエネルギーとなってしまう。
【０００７】
また、パイプが長い場合は、前後の空洞の共振と見られる二つのFoが見られる。パイプを短くすると、Foは一つになるが、それでも若干の共振ピークが見られる。このようにドライバユニット２個が組み合わされた場合には、前方のドライバユニットの後方部と後方ドライバユニットの前方部の空間を結ばなければならず、不可避的に、パイプは長くならざるを得なかった。
【０００８】
さらには、パイプ中の空気の移動は、固体のように一塊として平行移動するのではなく、空気の粘性によって、振動板近くの空気が直ちに動く一方で、パイプ中央部の空気は僅かに遅れて動く。従って、前後の振動板に挟まれたパイプ中心部の内部空気は、いわば餅のように伸びたりつぶれたりしながら、動くことになり、前後の振動板と同位相で動くとは限らず、結局、スピーカシステム全体を動かすこととなって再生音の正確性を期する上で問題を残している。
【先行技術文献】
【特許文献】
【０００９】
【特許文献１】特開平０２−１００５００号公報
【特許文献２】特開２００７−２３５７２７号公報
【発明の概要】
【発明が解決しようとする課題】
【００１０】
上述した問題を解決することが本発明の課題である。すなわち、振動板の反作用をキャンセルし、スピーカユニットの背圧の問題を除去することができるスピーカユニット及び同スピーカユニットを用いたスピーカシステムを提供することを目的とする。
【課題を解決するための手段】
【００１１】
そこで、本発明に係るスピーカユニットは、左右に隣接配置された２つの前面側ドライバユニットと、該前面側ドライバユニットの各マグネットに夫々背中合わせに結合された２つの後面側ドライバユニットとが、密閉空間を有する箱状の取付フレームに取り付けられ、一方の前面側ドライバユニット及び後面側ドライバユニットは、メディアリソースからのオーディオ信号を出力し、他方の前面側ドライバユニット及び後面側ドライバユニットは、該メディアリソースからのオーディオ信号の逆位相信号を出力し、前記一方の前面側ドライバユニットの振動板は、正面側及び背面側のうちいずれか一方が、前記他方の前面側ドライバユニットの振動板の同じ側と同一の該密閉空間に面している構成とした。
【００１２】
また、前記一方の後面側ドライバユニットの振動板は、正面側及び背面側のうちいずれか一方が、前記他方の後面側ドライバユニットの振動板の同じ側と同一の該密閉空間に面している構成とした。
【００１３】
該取付フレームは、天板、底板、該取付フレームを略中央で仕切る中央支持板、前面支持板及び後面支持板、及び両側板とからなる矩形箱状に形成されるとともに、該前面側ドライバユニット及び後面側ドライバユニットの各ドライバ後端部は中央支持板に形成された透孔にそれぞれ挿通支持され、各振動板の先端部は該前面支持板及び後面支持板に形成された透孔縁部にそれぞれ固定されることが好ましい。
【００１４】
また、該取付フレームは、天板、底板、前面支持板及び後面支持板と、両側板とからなる矩形箱状に形成されるとともに、該前面側ドライバユニット及び後面側ドライバユニットの各振動板の先端部は該前面支持板及び後面支持板に形成された透孔縁部にそれぞれ固定されてなるスピーカユニットとしてもよい。
【００１５】
さらに、該取付フレームは、対向配置された箱状の前面側取付フレームと後面側取付フレームとからなり、該前面側及び後面側取付フレームの対向する内側面には該前面側ドライバユニット及び後面側ドライバユニットの各振動板の先端開口に対応して形成された透孔を有するとともに、各振動板の先端開口縁部は各透孔周縁部に密着固定され、各振動板の背面側が外部空間に晒されてなるスピーカユニットとすることができる。
【００１６】
また、本発明に係るスピーカシステムは、上述のように構成したスピーカユニットを、前面側及び背面側が開放されてなる支持ボードに貫通して取り付けた構成とした。
【００１７】
上述した支持ボードは、前記一方の前面側ドライバユニット及び後面側ドライバユニットと、前記他方の前面側ドライバユニット及び後面側ドライバユニットとの間を隔てる構成とすることが好ましい。
【００１８】
また、上述した支持ボードは、例えば、(1)平板状のバッフル板、(2)該スピーカユニットが取り付けられる背面板と、該背面板の上下端から前方に延びる天板及び底板とから形成されてなるもの、(3)該スピーカユニットが取り付けられる背面板と、該背面板の両側から前方に延びる側板とから形成されてなるもの、又は、(4)該スピーカユニットが取り付けられる背面板と、該背面板の上下端から前方に延びる天板及び底板と、両側から前方に延びる側板とから筒状に形成されてなるもののいずれかの構成とするのが好ましい。
【００１９】
なお、上記取付フレームと各ドライバユニットとの関係においては、箱状の該取付フレームとドライバユニットとの間に形成される空間ができるだけ小さくなるように構成する。そうすることで、共鳴振動が生じ難くなるからである。
【発明の効果】
【００２０】
本発明にかかるスピーカユニットによれば、一方の前面側ドライバユニット及び後面側ドライバユニットが、メディアリソースからのオーディオ信号を出力し、他方の前面側ドライバユニット及び後面側ドライバユニットは、該メディアリソースからのオーディオ信号の逆位相信号を出力し、一方の前面側ドライバユニット及び後面側ドライバユニットの振動板は、正面側及び背面側のうちいずれか一方が、他方の前面側ドライバユニット及び後面側ドライバユニットの振動板の同じ側と同一の該密閉空間に面している構成としたことにより、振動板背面側に発生する反作用がキャンセルされるのみならず、取付けフレーム内の密閉空間内に互いに逆位相の音声信号が出力されることにより、当該空間内に発生する出力音声及び空気圧力は互いに打ち消しあって相殺される。従って、ドライバユニット自体を何ら改造することなく、スピーカユニットの最低共振周波数Ｆoを下げることができる。
【００２１】
また、上記スピーカユニットを用いたスピーカシステムによれば、当該スピーカユニットを前面側及び背面側が開放されてなる支持ボードに貫通して取り付けることにより、他方の前面側ドライバユニット及び後面側ドライバユニットの各振動板から外部空間に出力される逆位相信号は該支持ボードによって隔絶されるので、互いに打ち消しあうことなく、メディアリソースに記録された原音に忠実な音声が再現されることとなる。
【図面の簡単な説明】
【００２２】
【図１】本発明の第１実施例に係るスピーカユニットを示す平断面図である。
【図２】本発明の第２実施例に係るスピーカユニットを示す平断面図である。
【図３】本発明の第３実施例に係るスピーカユニットを示す平断面図である。
【図４】上記第１実施例に係るスピーカユニットを平板状の支持ボード(バッフル板)に取り付けてなる本発明のスピーカシステムを示す斜視図である。
【図５】同上スピーカシステムを示す図４における５−５線矢視断面図である。
【図６】同上スピーカシステムを示す側面図である。
【図７】上記第３実施例に係るスピーカユニットを平板状の支持ボード(バッフル板)に取り付けてなる本発明のスピーカシステムを示す斜視図である。
【図８】同上スピーカシステムを示す図７における８−８線矢視断面図である。
【図９】第１、第２又は第３実施例に係るスピーカユニットを他の態様の支持ボードに取り付けてなるスピーカシステムを示す斜視図である。
【図１０】第１、第２又は第３実施例に係るスピーカユニットをさらに他の態様の支持ボードに取り付けてなるスピーカシステムを示す斜視図である。
【図１１】第１、第２又は第３実施例に係るスピーカユニットをまたさらに他の態様の支持ボードに取り付けてなるスピーカシステムを示す斜視図である。
【図１２】従来技術に係るスピーカシステムを示す要部縦断面図である。
【図１３】従来技術に係る他のスピーカシステムを示す要部縦断面図である。
【図１４】従来技術に係るさらに他のスピーカシステムを示す要部縦断面図である。
【発明を実施するための形態】
【００２３】
図１は、本発明の第１実施例にかかるスピーカユニット３Ａを示すもので、左右に隣接配置された前面側ドライバユニット４及び５と、該前面側ドライバユニット４及び５の各マグネット４１、４１Ｂに夫々背中合わせに結合された後面側ドライバユニット４Ｂ及び５Ｂとからなる４個のドライバユニット４、４Ｂ、５、５Ｂを１ユニットとして構成される。これらドライバユニット４、４Ｂ、５、５Ｂは、取付フレーム３１に取り付けられる。
【００２４】
該取付フレーム３１は、中密度繊維板(MDF)で、略箱状に形成されるとともに、中央を仕切る中央支持板３１１と、前面支持板３１３及び後面支持板３１４と、天板及び底板と、両側板３１２、３１２とから形成されている。各ドライバユニット４、４Ｂ、５、５Ｂの後端側のマグネット４１、４１Ｂ、５１、５１Ｂは、中央支持板３１１に形成された透孔３１１ａ、３１１ｂにそれぞれ挿通支持され、先端側の振動板(コーン)４２、４２Ｂ、５２、５２Ｂ先端部は、該前面支持板３１３及び後面支持板３１４に形成された透孔３１３ｂ，３１３ｃ、３１４ｂ、３１４ｃ縁部にビス等によりそれぞれ取り付け固定される。なお、取付フレーム３１の材料として、本実施例では中密度繊維板を使用したが、これに限定されることなく、他の合成樹脂、木材、又は金属を用い得るものである。
【００２５】
ここで、前面側ドライバユニット４及び後面側ドライバユニット４Ｂは、いずれもＣＤ等のメディアリソースに記録された音声信号をそのまま忠実に再生するように構成されているが（図中、外側方向への矢印で示す）、これらに隣接配置された他方の前面側ドライバユニット５及び後面側ドライバユニット５Ｂは、これらと逆位相の音声生成手段を介して出力されるように構成されている（図中、内側方向への矢印で示す）。すなわち、左右に隣接配置された前面側ドライバユニット４及び５、並びに後面側ドライバユニット４Ｂ及び５Ｂは、それぞれ互いに逆位相の音声信号を出力する対称配置の関係にある。
【００２６】
上述のように構成したことにより、振動板背面側に発生する反作用がキャンセルされるのみならず、取付けフレーム内の密閉空間内に互いに逆位相の音声信号が出力されることにより、当該空間内に発生する出力音声及び空気圧力は互いに打ち消しあって相殺される。従って、スピーカユニットの最低共振周波数Ｆoを下げることができる。
【００２７】
図２は、本発明の第２実施例にかかるスピーカユニット３Ｂを示すもので、上記スピーカユニット３Ａの取付フレーム３１における中央板３１１が設けられていない外は、前面側ドライバユニット４、５と後面側ドライバユニット４Ｂ、５Ｂとの配置関係は、上記第１実施例におけると同様である。かかる構成においても、第１実施例におけると同様の効果を得ることができる。
【００２８】
図３は、本発明の第３実施例にかかるスピーカユニット３Ｃを示すもので、左右に隣接配置された前面側ドライバユニット４及び５と、該前面側ドライバユニット４及び５の各マグネット４１、４１Ｂに夫々背中合わせに結合された後面側ドライバユニット４Ｂ及び５Ｂとからなる２セット４個のドライバユニット４、４Ｂ、５、５Ｂを１ユニットとして構成される点は、上記第１及び第２実施例と同様である。しかし、これらドライバユニット４、４Ｂ、５、５Ｂの取付フレームへの取り付け方が大きく相違する。
【００２９】
すなわち、該取付フレームは、前面側ドライバユニット４及び５の振動板４２及び５２の開口縁部が取付けられる前面側取付ユニット６０と、後面側ドライバユニット４Ｂ及び５Ｂの振動板４２Ｂ及び５２Ｂの開口縁部が取付けられる後面側取付ユニット７０とから構成され、該前面側取付ユニット６０及び後面側取付ユニット７０は、離隔、対向して配置されている。矩形箱状に形成された前面側及び後面側取付ユニット６０及び７０の対向する内側面には、それぞれ、ドライバユニット４及び５の各振動板４２及び５２先端の開口外縁に対応する透孔６１及び６２、ドライバユニット４Ｂ及び５Ｂの各振動板４２Ｂ及び５２Ｂ先端の開口外縁に対応する透孔７１及び７２が形成されている。これら各透孔６１、６２及び７１、７２を塞ぐ形で各振動板４２、５２、及び４２Ｂ、５２Ｂの先端開口縁部が取り付けられている。
【００３０】
各ドライバユニット４、５、４Ｂ、５Ｂの振動板４２、５２及び４２Ｂ、５２Ｂは、前面側及び後面側取付ユニット６０及び７０によって周縁部をそれぞれ塞がれ、その先端開口部は各透孔６１、６２及び７１、７２を介して前面側及び後面側取付ユニット６０及び７０内空間にてそれぞれ連通している。一方、各振動板４２、５２、及び４２Ｂ、５２Ｂの背面側は全て外部に晒されているものである。ここで、第１実施例と同様に、前面側ドライバユニット４及び後面側ドライバユニット４Ｂは、いずれもＣＤ等のメディアリソースに記録された音声信号をそのまま忠実に再生するように構成されているが、これらに隣接配置された他方の前面側ドライバユニット５及び後面側ドライバユニット５Ｂは、これらと逆位相の音声生成手段を介して出力されるように構成されている。従って、かかる構成においても、第１実施例におけると同様の効果を得ることができる。
【００３１】
図４〜６は、上記スピーカユニット３Ａを、下縁部両側に固定された脚２ａにて直立させた平板状のバッフル板２の略中央を貫いて取付けてなるスピーカシステム１を示すものである。該バッフル板２は遮音性能に優れた合わせガラスを用いている。そして、隣接する前面側ドライバユニット４及び５間と、後面側ドライバユニット４Ｂ及び５Ｂ間にそれぞれ残された前面支持板３１３及び後面支持板３１４の中央部分３１３ａ及び３１４ａを含む取付けフレーム３１の外周部分がバッフル板２にそれぞれネジ等により取付け固定される。
【００３２】
ここで、取付フレーム３１は、該前面支持板３１３及び後面支持板３１４が該バッフル板２に直交するよう取付け固定される。すなわち、該前面側ドライバユニット４及び後面側ドライバユニット４Ｂは、各振動板４２及び４２Ｂが互いに反対方向に向いてバッフル板２に平行に配置される。また、前後面側ドライバユニット４及び４Ｂ、５及び５Ｂがそれぞれ前後対称に配置されるのみならず、該前面側ドライバユニット４及び５同士、該後面側ドライバユニット４Ｂ及び５Ｂ同士も左右対称に配置されている。
【００３３】
該前面側ドライバユニット４及び５、並びに後面側ドライバユニット４Ｂ及び５Ｂは、互いに可能な限り隣接させて配置されている。また、各ドライバユニット４、４Ｂ、５、５Ｂの該取付フレーム３１への取付けは、各スピーカユニットと該取付フレーム３１間に形成される空間が最小となるように構成されている。すなわち、各ドライバユニット４、５、４Ｂ、５Ｂは、いずれも振動板の運動に必要な最小限度の空間を与えられるに止められている。その空間の空気のダンプされうるかもしれぬ要素を最小限に抑え、その内部空気に振動板の圧力による圧縮や希薄化を招かないためである。
【００３４】
上述のように構成されたスピーカシステムにおいては、前面側ドライバユニット４、５と後面側ドライバユニット４Ｂ、５Ｂの各マグネット同士を接合させて背中合わせに配置したことにより、それぞれ互いの振動板の反作用をキャンセルさせることとなる。のみならず、左右に隣接配置された前面側ドライバユニット４及び５同士、並びに後面側ドライバユニット４Ｂ及び５Ｂ同士は、それぞれ逆位相の音声が出力されるので、取付フレーム３１内の空間における音声も空気圧も互いに相殺されて消滅することになる。
【００３５】
一方、取付フレーム３１の外部においては、前面側ドライバユニット４及び後面側ドライバユニット４Ｂと、前面側ドライバユニット５及び後面側ドライバユニット５Ｂとは、バッフル板２によってそれぞれ互いに隔てられていることから、前面側ドライバユニット４及び後面側ドライバユニット４Ｂから出力される音声が前面側ドライバユニット５と後面側ドライバユニット５Ｂから出力される逆位相の音声に相殺されて消滅することはない。従って、箱状取付フレーム３１内の振動板の反作用及び背圧による悪影響を受けることなく、メディアリソースに記録された音声信号が忠実に再生されることとなる。
【００３６】
図７及び８は、上記第３実施例にかかるスピーカユニット３Ｃを、バッフル板２に貫通して取り付けてなるスピーカシステム１０を示す。矩形箱状に形成された前面側及び後面側取付ユニット６０及び７０は、バッフル板２に直交して取り付け固定されている。この場合、背面側が全て外部に晒されているドライバユニット４及び４Ｂとドライバユニット５及び５Ｂの間を該バッフル板２が遮断する形となるので、ドライバユニット４及び４Ｂとドライバユニット５及び５Ｂの一方を前面側及び後面側取付ユニット６０及び７０から取り外した状態で前面側及び後面側取付ユニット６０及び７０をバッフル板２に貫通固定した後に予め取り外した一方のドライバユニットを前面側及び後面側取付ユニット６０及び７０に取り付ける。
【００３７】
上述のように構成されたスピーカシステム１０においては、左右に隣接配置された前面側ドライバユニット４及び５間、並びに後面側ドライバユニット４Ｂ及び５Ｂ間の関係は、それぞれ互いに逆位相の音声が出力される関係にある。従って、前面側取付フレーム６０及び後面側取付フレーム７０内の空間における音声と空気圧は互いに相殺されて消滅することになる。この結果、リスナーには該前面側ドライバユニット４及び後面側ドライバユニット４Ｂの各振動板の背面側から放出される音声が届くこととなる。
【００３８】
一方、前面側ドライバユニット４及び４Ｂから出力される音声と前面側ドライバユニット５及び５Ｂから出力される逆位相の音声との関係にあっては、バッフル板２によって互いに隔絶されていることから、前面側ドライバユニット４及び後面側ドライバユニット４Ｂから出力される音声が前面側ドライバユニット５と後面側ドライバユニット５Ｂから出力される逆位相の音声と相殺されて消滅することはない。従って、スピーカシステム１０においても上記スピーカシステム１と同様に、メディアリソースに記録された音声信号が忠実に再生されることとなる。
【００３９】
上記スピーカユニット３Ａ、３Ｂ又は３Ｃを用いたスピーカシステムは、前面側及び背面側が開放されてなる支持ボードに貫通して取り付けられればよく、上述した平板状のバッフル板２のみならず、図９〜１１に示す態様としてもよい。
すなわち、図９に示すように、背面板２０ａと、該背面板２０ａの上下端から前方に延びる天板２０ｂ及び底板２０ｃとから支持ボードを形成し、該背面板２０ａにスピーカユニット３Ａ、３Ｂ又は３Ｃが取り付けられたスピーカシステム２０を構成する。
【００４０】
また、図１０に示すように、背面板３０ａと、該背面板の両側から前方に延びる側板３０ｂとから支持ボードを形成し、該背面板３０ａにスピーカユニット３Ａ、３Ｂ又は３Ｃが取り付けられたスピーカシステム３０を構成する。
【００４１】
さらに、図１１に示すように、背面板４０ａと、該背面板の上下端から前方に延びる天板及び底板と、両側から前方に延びる側板とから筒状に形成された支持ボードを形成し、該背面板４０ａにスピーカユニット３Ａ、３Ｂ又は３Ｃが取り付けられたスピーカシステム４０を構成する。
【産業上の利用可能性】
【００４２】
本発明に係るユピーカユニット及びスピーカシステムは、メディアリソースに記録された音声信号の忠実な再生ができるもので、音響機器技術に広く利用できるものである。
【符号の説明】
【００４３】
１、１０、２０、３０、４０  スピーカシステム
２  バッフル板
３Ａ、３Ｂ、３Ｃ  スピーカユニット
４、４Ｂ、５、５Ｂ  ドライバユニット
３１  取付フレーム
４１、４１Ｂ、５１、５１Ｂ  マグネット
４２、４２Ｂ、５２、５２Ｂ  振動板
６０  前面側取付ユニット
６１、６２  透孔
７０  後面側取付ユニット
７１、７２  透孔
３１１  中央支持板
３１３  前面支持板
３１４  後面支持板
３１３ｂ、３１３ｃ、３１４ｂ、３１４ｃ  透孔
【図１】
0005719718.tif 000002
【図２】
0005719718.tif 000003
【図３】
0005719718.tif 000004
【図４】
0005719718.tif 000005
【図５】
0005719718.tif 000006
【図６】
0005719718.tif 000007
【図７】
0005719718.tif 000008
【図８】
0005719718.tif 000009
【図９】
0005719718.tif 000010
【図１０】
0005719718.tif 000011
【図１１】
0005719718.tif 000012
【図１２】
0005719718.tif 000013
【図１３】
0005719718.tif 000014
【図１４】
0005719718.tif 000015